(57)【要約】【課題】管軸と継手部軸との間にずれがある場合、そのずれがあってもそのままの状態で管を安全に接続することを可能にすることを課題とする。【解決手段】  筒状本体２１の開口端面２３に内孔２４を囲繞してシールリング２５が配置され、筒状本体２１の外周の雄ねじ２７に、端面に前記筒状本体の内孔と同心となる貫通孔３０を有する端面板３１を有するカップリング２２がねじ嵌合され、筒状本体２１の開口端面２３には、フランジ３２を管端に有する他の管３５であって、フランジ３５の外径Ｇがシールリング２５の径Ｓより大で、カップリング２２の内径より小とされ、カップリング２２内で管が平行移動できる範囲内でカップリング２２の締め付けにより筒状本体２１開口部に接続可能とされてなる。【選択図】  図１
2005054841.tif 000002
【特許請求の範囲】
【請求項１】
筒状本体の開口端面に内孔を囲繞してシールリングが配置され、筒状本体の外周に雄ねじが設けられ、該雄ねじに対する雌ねじを有し、端面に前記筒状本体の内孔と同心となる貫通孔を有する端面板を有するカップリングが前記筒状本体の開口部にねじ嵌合され、前記筒状本体の開口端面には、フランジを管端に有する他の管であって、前記フランジの外径が前記シールリングの径より大で、前記カップリングの内径より小とされ、また、前記貫通孔の内径が前記管の外径より大とされ、前記カップリング内で管が平行移動できる範囲内でカップリングの締め付けにより前記筒状本体開口部に接続可能とされてなる管継手。
【請求項２】
請求項１の管継手における、筒状本体が二個一対として、互いの軸を平行に一定の軸間を隔てて配置されてなる管継手。
【請求項３】
請求項２の管継手における、二個一対をなす筒状本体の一方が、ガスメーターのガス流入管用、他方がガス排出管用とされている管継手。
【発明の詳細な説明】
【技術分野】
【０００１】
本発明は管継手に関し、詳しくは接続される管の軸がオフセットしていても、管軸の整列処理などをすることなく接続できる管継手に関する。
【背景技術】
【０００２】
従来の管継手として、カップリングにより接続する管継手が知られている。
この管継手は、図５に示すように一端にフランジ１を有する管２にカップリング３を外嵌し、パッキン４を介挿してフランジ１を相手側管５の管端６に対面当接させ、さらに相手側管５の外周に形成した雄ねじ７にカップリング３をねじ嵌合させ、締め付けることによって両管２、５を水密・気密に接続するようにしたものである（特許文献１）。
【０００３】
通常、上記管継手は接続する管２と接続される管５とは同一径の管とされ、またフランジ１の当接面を相手側管５の端面と正しく平行に対面当接させる必要上両管の管軸は正しく整列されている必要があり、したがって両管２、５の管軸にずれがある場合は、そのずれを修正する必要が生じ、管の敷設状態によっては管軸の修正に非常に手間がかかる場合がある問題があった。
【０００４】
例えば、家庭内へガス管を引き込む部分には図６に示すように、ガスメータ８が設置されるが、このガスメーター８に接続されるガス供給管９とガス取り出し管１０を接続する継手部１１、１１の位置は決まっている。従って、ガス管９とガス管１０の位置が継手部１１、１１に対し正確に合致するように配管する必要がある。そして、ガス管９、１０と継手部１１、１１の軸芯に図７に示すように少しでもずれがあると、図８に示すように、フランジ１の面が相手側管５の管端６面に対し傾斜した状態となるのでカップリング３で締め付けても、シールが不完全となって漏洩につながる危険がある問題があった。
【０００５】
一方、このような問題０解消するため、ガス管９、１０の軸線を継手部１１の軸線に合致させるには、ガス管９、１０の長さを切縮めたり、あるいは長いものに交換したり、曲管９ａ、１０ａに対するガス管９、１０の差込深さを調節したりするなどして調整しなければならず手間がかかる問題があった。  
【特許文献１】特開平１１-１９３８９５号
【発明の開示】
【発明が解決しようとする課題】
【０００６】
この発明は、上記したような管軸と継手部の軸にずれがある場合、そのずれがあってもそのままの状態で管を安全に接続することを可能にすることを課題としてなされたものである。
【課題を解決するための手段】
【０００７】
この発明は、接続される管がカップリング内で平行移動できるようにし、管継手と他の管の軸線がオフセットしていても、そのオフセット量が、平行移動可能な範囲内であればそのまま他の管を接続可能としたことをもっとも特徴とする。
【発明の効果】
【０００８】
接続される管の間に軸間の偏倚があっても、カップリングの貫通孔３０と接続される管３５との径の差の範囲内であれば、管軸調整をすることなく管を接続することができ、配管工事が著しく簡略化される。
【０００９】
また、ガスメーターなどのように二つの継手間隔が一定とされた器具に管を接続する場合でも、予め配管された管の間隔と二つの継手間隔に誤差があっても接続する管の外径とカップリングの貫通孔の内径の差の範囲内であれば管軸調整をすることなく器具を管にそのまま接続することができる。
【発明を実施するための最良の形態】
【００１０】
(実施の形態１)
次にこの発明の実施の形態１である管継手について説明する。
図１は、この発明の実施の形態１である管継手の断面図、図２は図１のＡ-Ａ線矢視断面図である。
【００１１】
図１において管継手２０は、筒状本体２１とカップリング２２とからなり、筒状本体２１は、開口端面２３に、筒状本体２１の内孔２４を同心円状に囲繞するシールリング２５が、収納溝２６内に収納されて設けられている。このシールリング２５の径Ｓは出来るだけ小さくなるよう、内孔２４の開口周辺に出来るだけ近い位置に設けられる。
【００１２】
また、筒状本体２１の外周には雄ねじ２７が設けられている。そしてカップリング２２は、雄ねじ２７に対する雌ねじ２８を内面に有するリング体２９の端面に筒状本体２１の内孔２４と同心となる貫通孔３０を有する端面板３１を一体に設けて形成されている。
【００１３】
なお、端面板３１に穿設される貫通孔３０の内径ｒは、筒状本体２１に接続される管３５の外径ｄより大きく、管３５の管端に設けられるフランジ３２の外径より小さい径とされる。
【００１４】
なお、管３５の管端に形成されたフランジ３２の径Ｇとシールリング２５の径Ｓは、Ｇ＞Ｓとされ、管３５が偏心した位置関係になってもシールリング２５が管３５の内孔を囲んだ状態でフランジ３２面に当接するようにされている。
【００１５】
そして、この管継手により管を接続する場合、図３に示すように接続すべき一方の管２と他方の管３５とに、管軸のずれｅがある場合、そのずれｅが端面板３１に形成した貫通孔３０の径ｒと管３５の外径ｄとの差ｆ以内であれば、管軸の軸整列調整をすることなくそのまま接続する。
【００１６】
管３５の軸が管継手２０の軸に対しずれていても、カップリング２２の端面板３１がフランジ３２に係合し、フランジ３２の端面がシールリング２５に当接するので、その状態でカップリング２２を筒状本体２１側にねじ締めしていけば、端面板３１に押されるでフランジ３２が、管３５の内孔を囲んだ状態でシールリング２５を圧縮するので、接続面がシールされる。
【００１７】
従って、少々管軸にずれがあっても管軸調整をすることなく管の接続が可能となる。
(実施の形態２)
図４は、この発明の実施の形態２である管継手の正面図である。
【００１８】
図４は二つの管継手２０、２０の軸間が一定とされていて、その管継手に対し同時に管を接続する場合を示したもので、具体的にはガス管３５をガスメーター８に取り付ける場合を示したものである。
【００１９】
すなわち図４において、ガスメーター８のガス供給管９及びガス取出管１０用の管継手２０、２０が、実施の形態１で示した管継手とそれぞれ同じ構造とされ相互が平行となるようにガスメーター本体１３に設けられている。
【００２０】
なお、図４において１４は両管３５、３５の間隔を一定に規制するスペーサ、１５はガス供給管９及びガス取出管１０を支持柱として利用して取り付けたガスメーター８の支持バンドを示し、管９、１０に取り付けた金具１６、１６にボルトナット１７、１７により取り付けられている。
【００２１】
いずれも必要に応じ設けられ、本発明の作用効果とは直接関係しない。
この実施の形態２において、管３５をガスメーター８の本体１３に形成されたそれぞれの管継手３５、３５に接続する場合、両管３５、３５の管軸の平行間隔Ｌ１と、それぞれの管継手２０、２０の管軸の平行間隔Ｌ２との差ｅが、カップリング２２の端面板３１に形成した貫通孔３０の径と管３５の外径との差ｆ以下であれば、両管３５の平行間隔を調整することなくそのまま管３５を接続することができる。
【００２２】
なお、ガスメーターの場合について説明したが、これに限らず複数の管継手が平行に取付けられる器具、例えば給水・給湯器、熱交換機などガスメーター以外の器具でも適用可能である。
【図面の簡単な説明】
【００２３】
【図１】本発明の実施の形態１の管継手の断面図である。
【図２】図１のＡ-Ａ線断面図である。
【図３】実施の形態１の使用時様態を示す分解斜視図である。
【図４】ガスメータに適用した状態を示す正面図である。
【図５】従来例の管継手の断面図である。
【図６】ガスメーターに配管を取り付ける場合の説明正面図である。
【図７】管と管継手とに管軸のずれがある場合を示す説明断面図である。
【図８】管と管継手とに管軸のずれがある場合にも係わらず管継手で接続した状態を示す断面図である。
【符号の説明】
【００２４】
２０    管継手
２１    円筒状本体
２２    カップリング
２３    円筒状本体の端面
２５    シールリング
２６    収納溝
２７    雄ねじ
２８    雌ねじ
２９    リング体
３０    貫通孔
３１    端面板
３２    フランジ
３５    接続される管
【図１】
2005054841.tif 000003
【図２】
2005054841.tif 000004
【図３】
2005054841.tif 000005
【図４】
2005054841.tif 000006
【図５】
2005054841.tif 000007
【図６】
2005054841.tif 000008
【図７】
2005054841.tif 000009
【図８】
2005054841.tif 000010